(57)【要約】  本開示の特定の態様は、ビーム微細化のための技法を提供する。本明細書に示される技法は、既存のフレーム構造を使用するとともに、そうでなければアイドルであり得るリソース（受信アンテナポート）を利用してビーム微細化を可能にし得る。【選択図】  図１２
2020519117.tif 000002
【特許請求の範囲】
【請求項１】
基地局によるワイヤレス通信のための方法であって、
複数のアップリンク受信ビームを用い、前記アップリンク受信ビームの各々よりも広いアップリンク送信ビームを使用してユーザ機器（ＵＥ）によって送られた物理アップリンク制御チャネル（ＰＵＣＣＨ）を検出することと、
前記検出に基づいて、前記ＵＥへの少なくとも１つの後続の物理ダウンリンク共有チャネル（ＰＤＳＣＨ）送信のために、ダウンリンク送信ビームを選択することと
を備える、方法。
【請求項２】
前記ダウンリンク送信ビームは、前記ＰＵＣＣＨを送るために前記ＵＥによって使用された前記アップリンク送信ビームよりも各々狭い複数のダウンリンク送信ビームから選択される、請求項１に記載の方法。
【請求項３】
前記ＰＵＣＣＨは、前記検出に基づいて選択された前記ダウンリンク送信ビームとは異なるダウンリンク送信ビームを使用して前記基地局によって送られたＰＤＳＣＨに応答して、前記ＵＥによって送られる、
請求項１に記載の方法。
【請求項４】
前記複数のアップリンク受信ビームは、前記ＵＥに物理ダウンリンク制御チャネル（ＰＤＣＣＨ）を送信するために前記基地局によって使用されるより広いダウンリンク送信ビームと少なくとも擬似コロケート（ＱＣＬ）される、請求項１に記載の方法。
【請求項５】
どのくらいの頻度で前記検出が行われるかは、
前記ＵＥのモビリティ、またはＰＤＳＣＨを送信するために使用されるダウンリンク送信ビームを使用して送信されたチャネル状態情報基準信号（ＣＳＩ−ＲＳ）を前記ＵＥが測定したときからの時間期間、のうちの少なくとも１つに基づく、請求項１に記載の方法。
【請求項６】
前記基地局は、ビームコヒーレンスの損失、または前記ＵＥから送信されたＰＵＣＣＨ上のエラーのうちの少なくとも１つを検出したことに応答してＰＤＳＣＨを送信するために、前記検出に基づいて選択された前記ダウンリンク送信ビームよりも広いダウンリンク送信ビームを使用することにフォールバックする、
請求項１に記載の方法。
【請求項７】
前記基地局は、前記検出を行うために使用されていないときに、１つまたは複数の他のＵＥにサービスするためにも使用される少なくとも１つのアンテナポートを使用して前記検出を行う、
請求項１に記載の方法。
【請求項８】
同時のＰＵＣＣＨ送信のために複数のＵＥをスケジューリングすることであって、前記ＵＥは同じブロードビームで送信または受信するものである、スケジューリングすること
をさらに備える、請求項１に記載の方法。
【請求項９】
前記基地局は、狭いダウンリンク送信ビームおよび広いダウンリンク送信ビームの両方を使用してチャネル状態情報基準信号（ＣＳＩ−ＲＳ）を送信する、請求項１に記載の方法。
【請求項１０】
前記ＣＳＩ−ＲＳに基づいて前記ＵＥによって推定された、ランクインジケータ（ＲＩ）またはプリコーディングマトリックスインジケータ（ＰＭＩ）のうちの少なくとも１つに関して前記ＵＥからのフィードバックを受信すること
をさらに備える、請求項９に記載の方法。
【請求項１１】
前記検出に基づき、チャネル状態情報基準信号（ＣＳＩ−ＲＳ）を送信するために使用される１つまたは複数のダウンリンク送信ビームを変更することと、
前記ＵＥに前記変更のインジケーションを提供することと
をさらに備える、請求項１に記載の方法。
【請求項１２】
前記ＵＥがＰＤＳＣＨを受信するために使用するものと同じポートで前記ＵＥがＰＵＣＣＨを送る場合に、ランクインジケータ（ＲＩ）またはプリコーディングマトリックスインジケータ（ＰＭＩ）のうちの少なくとも１つを推定すること
をさらに備える、請求項１に記載の方法。
【請求項１３】
前記ＵＥに、前記選択されたダウンリンク送信ビームへの変更をシグナリングすること
をさらに備える、請求項１に記載の方法。
【請求項１４】
前記シグナリングは、物理ダウンリンク制御チャネル（ＰＤＣＣＨ）を介して提供される、請求項１３に記載の方法。
【請求項１５】
ユーザ機器によるワイヤレス通信のための方法であって、
物理ダウンリンク共有チャネル（ＰＤＳＣＨ）を送信するために基地局によって使用されるダウンリンク送信ビームよりも広いアップリンク送信ビームを使用して前記基地局に物理アップリンク制御チャネル（ＰＵＣＣＨ）を送信することと、
前記ＰＵＣＣＨの検出に基づいて選択されたダウンリンク送信ビームを使用して前記基地局によって送信されたＰＤＳＣＨを受信することと、
ＰＤＳＣＨを送信するための前記選択されたダウンリンク送信ビームへの変更を指示するシグナリングを受信することと、
前記変更に基づき、前記ＰＤＳＣＨで送信されたチャネル状態情報基準信号（ＣＳＩ−ＲＳ）を処理することと
を備える、方法。
【請求項１６】
前記シグナリングは、物理ダウンリンク制御チャネル（ＰＤＣＣＨ）を介して提供される、請求項１５に記載の方法。
【請求項１７】
前記ＵＥは、前記検出に基づいて選択された前記ダウンリンク送信ビームとは異なるダウンリンク送信ビームを使用し前記基地局によって送られたＰＤＳＣＨに応答して、前記ＰＵＣＣＨを送る、
請求項１５に記載の方法。
【請求項１８】
前記ＵＥは、狭いダウンリンク送信ビームおよび広いダウンリンク送信ビームの両方を使用して前記基地局によって送信されたチャネル状態情報基準信号（ＣＳＩ−ＲＳ）を処理する、請求項１５に記載の方法。
【請求項１９】
前記ＣＳＩ−ＲＳに基づいて前記ＵＥによって推定されれた、ランクインジケータ（ＲＩ）またはプリコーディングマトリックスインジケータ（ＰＭＩ）のうちの少なくとも１つに関して前記基地局へのフィードバックを提供すること
をさらに備える、請求項１８に記載の方法。
【請求項２０】
前記基地局から、ＣＳＩ−ＲＳを送信するための１つまたは複数のダウンリンク送信ビームへの変更を指示するシグナリングを受信することと、
ＣＳＩ−ＲＳを送信するための前記１つまたは複数のダウンリンク送信ビームへの前記指示された変更に基づいてＣＳＩ−ＲＳをさらに処理することと
をさらに備える、請求項１５に記載の方法。
【請求項２１】
ＣＳＩ−ＲＳを送信するための前記１つまたは複数のダウンリンク送信ビームへの前記指示された変更に基づいてＣＳＩ−ＲＳをさらに処理することは、
ＣＳＩ−ＲＳを送信するための前記１つまたは複数のダウンリンク送信ビームへの前記変更によって影響を受けた１つまたは複数のＣＳＩ−ＲＳ処理をリセットすること
を備える、請求項２０に記載の方法。
【請求項２２】
基地局によるワイヤレス通信のための装置であって、
複数のアップリンク受信ビームを用い、前記アップリンク受信ビームの各々よりも広いアップリンク送信ビームを使用してユーザ機器（ＵＥ）によって送られた物理アップリンク制御チャネル（ＰＵＣＣＨ）を検出するための手段と、
前記検出に基づいて、前記ＵＥへの少なくとも１つの後続の物理ダウンリンク共有チャネル（ＰＤＳＣＨ）送信のために、ダウンリンク送信ビームを選択するための手段と
を備える、装置。
【請求項２３】
ユーザ機器によるワイヤレス通信のための装置であって、
物理ダウンリンク共有チャネル（ＰＤＳＣＨ）を送信するために基地局によって使用されるダウンリンク送信ビームよりも広いアップリンク送信ビームを使用して前記基地局に物理アップリンク制御チャネル（ＰＵＣＣＨ）を送信するための手段と、
前記ＰＵＣＣＨの検出に基づいて選択されたダウンリンク送信ビームを使用して前記基地局によって送信されたＰＤＳＣＨを受信するための手段と、
ＰＤＳＣＨを送信するための前記選択されたダウンリンク送信ビームへの変更を指示するシグナリングを受信するための手段と、
前記変更に基づき、前記ＰＤＳＣＨで送信されたチャネル状態情報基準信号（ＣＳＩ−ＲＳ）を処理するための手段と
を備える、装置。
【発明の詳細な説明】
【米国特許法１１９条に基づく優先権の主張】
【０００１】
[0001]  本願は、譲受人に譲渡され、本明細書の参照によりここに明示的に組み込まれるもので、２０１７年５月１日付で出願された米国仮特許出願第６２／４９２，８９３号の利益を主張し、２０１８年４月２７日付で出願された米国特許出願第１５／９６５，３５１号の優先権を主張する。
【背景技術】
【０００２】
[0002]  本開示の態様はワイヤレス通信に関し、より詳細には、例えば基地局からユーザ機器（ＵＥ：user equipment）への指向性送信のために使用される送信ビームの微細化（refinement）に関する。
【０００３】
[0003]  ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（例えば、帯域幅、送信電力）を共有することで複数のユーザとの通信をサポート可能な多元接続技術を採用し得る。そのような多元接続技術の例は、ロングタームエボリューション（ＬＴＥ（登録商標））システム、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]  いくつかの例では、ワイヤレス多元接続通信システムが、他にはユーザ機器（ＵＥ）として知られる複数の通信デバイス向けの通信を各々同時にサポートするいくつかの基地局を含み得る。ＬＴＥまたはＬＴＥ−Ａネットワークでは、１つまたは複数の基地局のセットがｅノードＢ（ｅＮＢ）を定義し得る。他の例では（例えば、次世代または５Ｇネットワークでは）、ワイヤレス多元接続通信システムが、いくつかの集約ユニット（ＣＵ：central unit）（例えば、集約ノード（ＣＮ：central node）、アクセスノードコントローラ（ＡＮＣ：access node controller）など）と通信しているいくつかの分散ユニット（ＤＵ：distributed unit）（例えば、エッジユニット（ＥＵ：edge unit）、エッジノード（ＥＮ：edge node）、無線ヘッド（ＲＨ：radio head）、スマート無線ヘッド（ＳＲＨ：smart radio head）、送受信ポイント（ＴＲＰ：transmission reception point）など）を含み得、ここで、集約ユニットと通信している１つまたは複数の分散ユニットのセットは、アクセスノード（例えば、新無線基地局（ＮＲ ＢＳ：new radio base station）、新無線ノードＢ（ＮＲ ＮＢ：new radio node-B）、ネットワークノード、５Ｇ ＮＢ、ｇＮＢなど）を定義し得る。基地局またはＤＵは、（例えば、基地局からのまたはＵＥへの送信のための）ダウンリンクチャネルおよび（例えば、ＵＥから基地局または分散ユニットへの送信のための）アップリンクチャネル上でＵＥのセットと通信し得る。
【０００５】
[0005]  これら多元接続技術は、様々な電気通信規格において採用され、別々のワイヤレスデバイスが都市、国家、地域、さらには地球規模で通信することを可能にする共通プロトコルを提供する。新興の電気通信規格の一例は、新無線（ＮＲ：new radio）、例えば５Ｇ無線アクセスである。ＮＲは、第３世代パートナーシッププロジェクト（３ＧＰＰ（登録商標））によって公表された、ＬＴＥモバイル規格に対する機能拡張のセットである。それは、スペクトル効率を改善すること、コストを下げること、サービスを改善すること、新しいスペクトルを利用すること、並びにダウンリンク（ＤＬ：downlink）上およびアップリンク（ＵＬ：uplink）上でサイクリックプレフィックス（ＣＰ：cyclic prefix）を有するＯＦＤＭＡを使用する他のオープン規格とより良く統合することにより、モバイルブロードバンドインターネットアクセスをより良くサポートし、ビームフォーミング、多入力多出力（ＭＩＭＯ）アンテナ技術、およびキャリアアグリゲーションもサポートするように設計されている。
【０００６】
[0006]  しかしながら、モバイルブロードバンドアクセスに対する要求が増加し続けるにつれて、ＮＲ技術のさらなる改善を求める要望が存在する。好ましくは、これら改善が、他の多元接続技術、およびこれら技術を採用する電気通信規格に適用可能であるべきである。
【発明の概要】
【０００７】
[0007]  本開示のシステム、方法、およびデバイスは、各々いくつかの態様を有し、これら態様のうちの単一の態様が、単独で本開示の望ましい属性を担うことはない。本開示の適用範囲を後続の特許請求の範囲によって表現されるように限定することなく、いくつかの特徴がここで簡潔に論じられる。この議論を検討した後、特に「詳細な説明」と題するセクションを読んだ後に、ワイヤレスネットワークにおけるアクセスポイントと局との間の改善された通信を含む利点を本開示の特徴がどのように提供するかを理解することになる。
【０００８】
[0008]  本開示の態様は、基地局によるワイヤレス通信のための方法を提供する。この方法は、一般に、複数のアップリンク受信ビームで、アップリンク受信ビームの各々よりも広いアップリンク送信ビームを使用してユーザ機器（ＵＥ）によって送られた物理アップリンク制御チャネル（ＰＵＣＣＨ：uplink control channel）を検出することと、この検出に基づいて、ＵＥへの少なくとも１つの後続の物理ダウンリンク共有チャネル（ＰＤＳＣＨ：physical downlink shared channel）送信のためにダウンリンク送信ビームを選択することと、を含む。
【０００９】
[0009]  本開示の態様は、ユーザ機器（ＵＥ）によるワイヤレス通信のための方法を提供する。この方法は、一般に、物理ダウンリンク共有チャネル（ＰＤＳＣＨ）を送信するために基地局によって使用されるダウンリンク送信ビームよりも広いアップリンク送信ビームを使用して基地局に物理アップリンク制御チャネル（ＰＵＣＣＨ）を送信することと、ＰＵＣＣＨの検出に基づいて選択されたダウンリンク送信ビームを使用して基地局によって送信されたＰＤＳＣＨを受信することと、ＰＤＳＣＨを送信するための選択されたダウンリンク送信ビームへの変更を指示するシグナリングを受信することと、この変更に基づいて、ＰＤＳＣＨで送信されたチャネル状態情報基準信号（ＣＳＩ−ＲＳ：channel state information reference signal）を処理することと、を含む。
【００１０】
[0010]  態様は、一般に、添付の図面を参照して本明細書で概ね説明され、これら図面によって例示されるような、方法、装置、システム、コンピュータ可読媒体、および処理システムを含む。
【００１１】
[0011]  上述の関連目的を達成するために、１つまたは複数の態様は、以下で十分に説明され、特に特許請求の範囲において指し示された複数の特徴を備える。以下の説明および添付の図面は、１つまたは複数の態様のいくつかの例示的な特徴を詳細に明らかにする。しかしながら、これら特徴は、様々な態様の原理が採用され得る様々な方式のほんのいくつかを示すものであり、この説明は、全てのそのような態様およびそれらの均等物を含むことを意図する。
【００１２】
[0012]  本開示の上述された複数の特徴が詳細に理解できるように、上で簡潔に要約されたことのより具体的な説明が、添付の図面にいくつか示される態様への参照で得られることがある。しかしながら、添付の図面は、本開示の特定の典型的な態様を示すにすぎず、説明が他の同様に有効な態様を許容し得るので、本開示の適用範囲を限定していると見なされないことに留意されたい。
【図面の簡単な説明】
【００１３】
【図１】本開示のいくつかの態様に従った、例示的な電気通信システムを概念的に図示するブロック図である。
【図２】本開示のいくつかの態様に従った、分散ＲＡＮの例示的な論理アーキテクチャを図示するブロック図である。
【図３】本開示のいくつかの態様に従った、分散ＲＡＮの例示的な物理アーキテクチャを図示する図である。
【図４】本開示のいくつかの態様に従った、例示的なＢＳおよびユーザ機器（ＵＥ）の設計を概念的に図示するブロック図である。
【図５】本開示のいくつかの態様に従った、通信プロトコルスタックを実施するための例を示す図である。
【図６】本開示のいくつかの態様に従った、ＤＬ中心サブフレーム（DL-centric subframe）の例を図示する。
【図７】本開示のいくつかの態様に従った、ＵＬ中心サブフレーム（UL-centric subframe）の例を図示する。
【図８】異なる幅の送信（および／または受信）ビームの使用例を図示する。
【図９】例示的な自己充足型（self-contained）フレーム構造を図示する。
【図１０】本開示のいくつかの態様に従った、基地局によって行われ得る例示的な動作を図示する。
【図１１】本開示のいくつかの態様に従った、ユーザ機器（ＵＥ）によって行われ得る例示的な動作を図示する。
【図１２】本開示のいくつかの態様に従った、ビーム微細化の例を図示する。
【００１４】
[0025]  理解を容易にするため、同一の参照番号が、可能であれば、図に共通する同一の要素を指すために使用される。一態様において開示される要素は、具体的な記載なしに他の態様に対して有益に利用され得ることが予期される。
【詳細な説明】
【００１５】
[0026]  本開示の態様は、新無線（ＮＲ）（新無線アクセス技術または５Ｇ技術）のための装置、方法、処理システム、およびコンピュータ可読媒体を提供する。
【００１６】
[0027]  ＮＲは、拡張モバイルブロードバンド（ｅＭＢＢ）ターゲッティング広帯域幅（例えば、８０ＭＨｚ超）、ミリメートル波（ｍｍＷ）ターゲッティング高キャリア周波数（例えば、６０ＧＨｚ）、マッシブＭＴＣ（ｍＭＴＣ）ターゲッティング非後方互換ＭＴＣ技法、および／またはミッションクリティカルターゲッティング超高信頼低遅延通信（ＵＲＬＬＣ：ultra reliable low latency communications）などの、様々なワイヤレス通信サービスをサポートし得る。これらサービスは、待ち時間および信頼性の要件を含み得る。これらサービスはまた、それぞれのサービス品質（ＱｏＳ）要件を満たす別々の送信時間間隔（ＴＴＩ：transmission time interval）を有し得る。さらに、これらサービスは同じサブフレーム内に共存し得る。
【００１７】
[0028]  以下の説明は例を提供するもので、特許請求の範囲に記載される適用範囲、適用可能性、または例を限定するものでない。本開示の適用範囲から逸脱することなく、論じられる要素の機能および配列において変更がなされ得る。様々な例は、必要に応じて、様々な手順または構成要素を省略、置換、または追加し得る。例えば、説明される方法は、説明されるものとは異なる順序で行われ得るもので、様々なステップが追加、省略、または組み合わされ得る。また、いくつかの例に関して説明された特徴は、いくつかの他の例において組み合わされ得る。例えば、本明細書に記載されている任意の数の態様を使用して、装置が実施され得るか、または方法が実践され得る。加えて、本開示の適用範囲は、本明細書に記載された開示の様々な態様に加えて、またはそれら様々な態様の以外の他の構造、機能、または構造および機能を使用して実践される装置または方法を包含することを意図する。本明細書に開示される開示の任意の態様はまた、特許請求の範囲の１つまたは複数の要素によって具現化され得ることを理解されたい。「例示的な」という用語は、本明細書で「例、事例、または例示としての役割を果たす」という意味で使用される。「例示的」として本明細書で説明される任意の態様は、必ずしも他の態様よりも好ましいまたは有利であると解釈されるべきでない。
【００１８】
[0029]  本明細書で説明される技法は、ＬＴＥ、ＣＤＭＡ、ＴＤＭＡ、ＦＤＭＡ、ＯＦＤＭＡ、ＳＣ−ＦＤＭＡおよび他のネットワークなどの、様々なワイヤレス通信ネットワークに使用でされ得る。「ネットワーク」および「システム」という用語は、しばしば同義で使用される。ＣＤＭＡネットワークは、ユニバーサル地上波無線アクセス（ＵＴＲＡ）、ｃｄｍａ２０００などの無線技術を実施し得る。ＵＴＲＡは、広帯域ＣＤＭＡ（ＷＣＤＭＡ（登録商標））とＣＤＭＡの他の変形形態とを含む。ＣＤＭＡ２０００は、ＩＳ−２０００、ＩＳ−９５、およびＩＳ−８５６規格をカバーする。ＴＤＭＡネットワークは、モバイル通信用グローバルシステム（ＧＳＭ（登録商標））などの無線技術を実施し得る。ＯＦＤＭＡネットワークは、ＮＲ（例えば、５Ｇ ＲＡ）、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実施し得る。ＵＴＲＡおよびＥ−ＵＴＲＡは、ユニバーサルモバイル電気通信システム（ＵＭＴＳ）の一部である。ＮＲは、５Ｇ技術フォーラム（５ＧＴＦ：5G Technology Forum）と連携して開発中の新興のワイヤレス通信技術である。３ＧＰＰロングタームエボリューション（ＬＴＥ）およびＬＴＥ−Ａｄｖａｎｃｅｄ（ＬＴＥ−Ａ）は、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）という名称の組織からの文書に記載されている。ＣＤＭＡ２０００およびＵＭＢは、「第３世代パートナーシッププロジェクト２」（３ＧＰＰ２）という名称の組織からの文書に記載されている。本明細書で説明される技法は、上述されたワイヤレスネットワークおよび無線技術、並びに他のワイヤレスネットワークおよび無線技術に使用され得る。明確さのために、態様が３Ｇおよび／または４Ｇのワイヤレス技術に通常関連する専門用語を使用して本明細書で説明され得る一方で、本開示の態様は、ＮＲ技術を含む、例えば５Ｇ以降などの他の世代をベースの通信システムにおいて適用され得る。
【００１９】
例示的なワイヤレス通信システム  
[0030]  図１は、本開示の態様が行われ得る例示的なワイヤレスネットワーク１００を図示する。例えば、ワイヤレスネットワークは、新無線（ＮＲ）または５Ｇネットワークであり得る。ＮＲワイヤレス通信システムは、複数のビームを採用でき、ここで、ＢＳとＵＥとは、アクティブなビームを介して通信する。
【００２０】
[0031]  例示の目的で、複数の態様がプライマリＢＳおよびセカンダリＢＳに関して説明され、ここで、セカンダリＢＳはｍｍＷａｖｅ周波数スペクトルにおいて動作し、プライマリＢＳは、セカンダリスペクトルよりも低い周波数スペクトルにおいて動作するものの、これら態様はこの例示的なシナリオに限定されない。
【００２１】
[0032]  本明細書で説明されるように、例えば、図８に関し、複数のビームを介して通信するＢＳへのＵＥの初期アクセスは、より低い周波数スペクトルにおいて動作するＢＳからの支援で簡略化され得る。より低い周波数スペクトルにおいて動作するＢＳの支援で、ｍｍＷａｖｅリソースが保護でき、いくつかのシナリオにおいて、ｍｍＷａｖｅネットワークへの初期同期が完全にまたは一部バイパスされ得る。
【００２２】
[0033]  ＵＥ１２０は、送信電力を決定するために本明細書で説明される方法および動作９００を行うように構成され得る。ＢＳ１１０は、送受信ポイント（ＴＲＰ：transmission reception point）、ノードＢ（ＮＢ）、５Ｇ ＮＢ、アクセスポイント（ＡＰ：access point）、新無線（ＮＲ）ＢＳ、マスタＢＳ、プライマリＢＳなど）を備え得る。ＮＲネットワーク１００は、集約ユニットを含み得る。ＢＳ１１０は、別のＢＳ（例えば、セカンダリＢＳ）とのＲＡＣＨプロシージャ中に使用する送信電力を決定する際にＵＥに支援を与えるために本明細書で説明される他の方法および動作１０００を行い得る。
【００２３】
[0034]  ＵＥ１２０は、ＵＥとプライマリＢＳとの間の通信に少なくとも部分的に基づいて、セカンダリＢＳとのＲＡＣＨプロシージャ中にメッセージを送信するための送信電力を決定し得る。ＵＥは、決定された送信電力に少なくとも部分的に基づいて、ＲＡＣＨプロシージャ中にセカンダリＢＳにメッセージを送信し得る。
【００２４】
[0035]  マスタＢＳまたはプライマリＢＳなどのＢＳ１１０は、ＵＥと通信し得、セカンダリＢＳとのＲＡＣＨプロシージャ中にメッセージを送信するための送信電力を設定する際に、ＵＥを支援するために１つまたは複数のアクションを行い得る。
【００２５】
[0036]  図１に図示されるように、ワイヤレスネットワーク１００は、いくつかのＢＳ１１０および他のネットワークエンティティを含み得る。一例によれば、ＢＳおよびＵＥを含むネットワークエンティティは、複数のビームを使用して高い周波数（例えば、６ＧＨｚよりも高い）上で通信し得る。１つまたは複数のＢＳはまた、より低い周波数（例えば、６ＧＨｚよりも低い）でも通信し得る。高い周波数スペクトルで動作するように構成された１つまたは複数のＢＳと、より低い周波数スペクトルで動作するように構成された１つまたは複数のＢＳとが、コロケートされ得る。
【００２６】
[0037]  ＢＳは、ＵＥと通信する局であり得る。各ＢＳ１１０は、特定の地理的エリアに通信カバレッジを提供し得る。３ＧＰＰにおいて、「セル」という用語は、この用語が使用される文脈に依存して、ノードＢのカバレッジエリアおよび／またはこのカバレッジエリアにサービスしているノードＢサブシステムを指すことがある。ＮＲシステムにおいて、「セル」およびｇＮＢ、ノードＢ、５Ｇ ＮＢ、ＡＰ、ＮＲ ＢＳ、ＮＲ ＢＳ、またはＴＲＰは同義であり得る。いくつかの例では、セルが、必ずしも静的である必要はなく、セルの地理的エリアは、モバイル基地局の位置に応じて移動し得る。いくつかの例において、基地局は、任意の適切なトランスポートネットワークを使用して、直接物理接続、仮想ネットワーク、または同様のものなどの様々なタイプのバックホールインターフェースを介して、ワイヤレスネットワーク１００中で、互いに、および／または１つまたは複数の他の基地局あるいはネットワークノード（図示せず）と相互接続し得る。
【００２７】
[0038]  一般に、任意の数のワイヤレスネットワークが、所与の地理的エリア内に配置され得る。各ワイヤレスネットワークは、特定の無線アクセス技術（ＲＡＴ：radio access technology）をサポートし得るもので、１つまたは複数の周波数上で動作し得る。ＲＡＴはまた、無線技術、エアインターフェースなどと呼ばれ得る。周波数はまた、キャリア、周波数チャネルなどと呼ばれ得る。各周波数は、異なるＲＡＴのワイヤレスネットワーク(wireless networks of different RATs)間の干渉を避けるために、所与の地理的エリアにおいて単一のＲＡＴをサポートし得る。場合によっては、ＮＲまたは５Ｇ ＲＡＴネットワークが展開され得る。
【００２８】
[0039]  ＢＳは、マクロセル、ピコセル、フェムトセル、および／または他のタイプのセルに通信カバレッジを提供し得る。マクロセルは、比較的大きい地理的エリア（例えば、半径数キロメートル）をカバーし、サービスに加入しているＵＥによる無制限アクセスを可能にし得る。ピコセルは、比較的小さい地理的エリアをカバーし、サービスに加入しているＵＥによる無制限アクセスを可能にし得る。フェムトセルは、比較的小さい地理的エリア（例えば、自宅）をカバーし、フェムトセルとの関連を有するＵＥ（例えば、限定加入者グループ（ＣＳＧ：Closed Subscriber Group）内のＵＥ、自宅内のユーザ用のＵＥなど）による制限付きアクセスを可能にし得る。マクロセルのためのＢＳは、マクロＢＳと呼ばれ得る。ピコセルのためのＢＳは、ピコＢＳと呼ばれ得る。フェムトセルのためのＢＳは、フェムトＢＳまたはホームＢＳと呼ばれ得る。図１に示された例において、ＢＳ１１０ａ、１１０ｂ、および１１０ｃは、それぞれ、マクロセル１０２ａ、１０２ｂ、および１０２ｃのためのマクロＢＳであり得る。ＢＳ１１０ｘは、ピコセル１０２ｘのためのピコＢＳであり得る。ＢＳ１１０ｙおよび１１０ｚは、それぞれ、フェムトセル１０２ｙおよび１０２ｚのためのフェムトＢＳであり得る。ＢＳ ＢＳは、１つまたは複数の（例えば、３つの）セルをサポートし得る。
【００２９】
[0040]  ワイヤレスネットワーク１００はまた、中継局を含み得る。中継局は、上流局（例えば、ＢＳまたはＵＥ）からデータおよび／または他の情報の送信を受信し、そのデータおよび／または他の情報の送信を下流局（例えば、ＵＥまたはＢＳ）に送信する局である。中継局はまた、他のＵＥ向けの送信を中継するＵＥであり得る。図１に示された例では、中継局１１０ｒが、ＢＳ１１０ａとＵＥ１２０ｒとの間の通信を容易にするために、ＢＳ１１０ａおよびＵＥ１２０ｒと通信し得る。中継局はまた、リレーＢＳ、リレーなどと呼ばれ得る。
【００３０】
[0041]  ワイヤレスネットワーク１００は、異なるタイプのＢＳ、例えば、マクロＢＳ、ピコＢＳ、フェムトＢＳ、リレーなどを含む異種ネットワークであり得る。これら異なるタイプのｅＮＢは、異なる送信電力レベル、異なるカバレッジエリア、およびワイヤレスネットワーク１００内の干渉に対する異なる影響を有することがある。例えば、マクロＢＳは、高い送信電力レベル（例えば、２０ワット）を有することがあるが、ピコＢＳ、フェムトＢＳ、およびリレーは、より低い送信電力レベル（例えば、１ワット）を有することがある。
【００３１】
[0042]ワイヤレスネットワーク１００は、同期動作または非同期動作をサポートし得る。同期動作の場合、ＢＳは同様のフレームタイミングを有することができ、異なるＢＳからの送信は時間的にほぼ整合され得る。非同期動作の場合、ＢＳは異なるフレームタイミングを有することができ、異なるＢＳからの送信は時間的に整合されないことがある。本明細書で説明される技法は、同期動作と非同期動作の両方に使用され得る。
【００３２】
[0043]  ネットワークコントローラ１３０は、複数のＢＳのセットに結合し、これらＢＳのための協調および制御を提供し得る。ネットワークコントローラ１３０は、バックホールを介してＢＳ１１０と通信し得る。ＢＳ１１０はまた、例えば、ワイヤレスバックホールまたは有線バックホールを介して直接的または間接的に互いに通信し得る。
【００３３】
[0044]  ＵＥ１２０（例えば、１２０ｘ、１２０ｙなど）は、ワイヤレスネットワーク１００にわたって分散され得るもので、各ＵＥは、固定またはモバイルであり得る。ＵＥはまた、移動局、端末、アクセス端末、加入者ユニット、局、顧客宅内機器（ＣＰＥ：Customer Premises Equipment）、携帯電話、スマートフォン、携帯情報端末（ＰＤＡ：personal digital assistant）、ワイヤレスモデム、ワイヤレス通信デバイス、ハンドヘルドデバイス、ラップトップコンピュータ、コードレスフォン、ワイヤレスローカルループ（ＷＬＬ：wireless local loop）局、タブレット、カメラ、ゲーミングデバイス、ネットブック、スマートブック、ウルトラブック、医療デバイスもしくは医療機器、生体認証センサ／デバイス、例えばスマートウォッチ、スマート衣服、スマートメガネ、スマートリストバンド、および／またはスマートジュエリ（例えば、スマートリング、スマートブレスレットなど）のようなウェアラブルデバイス、エンターテイメントデバイス（例えば、音楽デバイス、ビデオデバイス、衛星ラジオなど）、車両部品またはセンサ、スマートメータ／センサ、工業生産機器、全地球測位システムデバイス、あるいは、ワイヤレスもしくは優先の媒体を介して通信するように構成された任意の他の適切なデバイスと呼ばれ得る。いくつかのＵＥは、拡張されたまたはマシンタイプ通信（ＭＴＣ：machine-type communication）デバイス、または発展型ＭＴＣ（ｅＭＴＣ）デバイスと見なされ得る。ＭＴＣおよびｅＭＴＣ ＵＥは、例えば、ＢＳ、別のデバイス（例えば、リモートデバイス）、または何らかの他のエンティティと通信できる、ロボット、ドローン、リモートデバイス、センサ、メータ、モニタ、ロケーションタグなどを含む。ワイヤレスノードは、例えば、有線またはワイヤレスの通信リンクを介した、ネットワーク（例えば、インターネットまたはセルラネットワークのような広域ネットワーク）のための、またはネットワークへの接続性を提供し得る。いくつかのＵＥは、ＩｏＴ（internet-of-things）デバイスと見なされ得る。
【００３４】
[0045]  図１では、両矢印付きの実線が、ダウンリンクおよび／またはアップリンク上でＵＥにサービスするように指定されたＢＳであるサービングＢＳと、ＵＥとの間の所望の送信を示す。両矢印付きの破線は、ＵＥとＢＳとの間の干渉送信を示す。
【００３５】
[0046]  ある特定のワイヤレスネットワーク（例えば、ＬＴＥ）は、ダウンリンク上で直交周波数分割多重化（ＯＦＤＭ）を利用し、アップリンク上でシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。概して、変調シンボルは、ＯＦＤＭに関して周波数領域内で、ＳＣ−ＦＤＭに関して時間領域内で送られる。隣接するサブキャリア間の間隔は固定され得るもので、サブキャリアの総数（Ｋ）はシステム帯域幅に依存し得る。例えば、サブキャリアの間隔は１５ｋＨｚであり得、（「リソースブロック」と呼ばれる）最小リソース割り振りは１２個のサブキャリア（すなわち１８０ｋＨｚ）であり得る。従って、公称ＦＦＴサイズは、１．２５、２．５、５、１０、または２０メガヘルツ（ＭＨｚ）のシステム帯域幅に対してそれぞれ１２８、２５６、５１２、１０２４または２０４８に等しいものであり得る。システム帯域幅はまた、サブバンドに区分され得る。例えば、サブバンドは、１．０８ＭＨｚ（すなわち、６リソースブロック）をカバーし得、システム帯域幅の１．２５、２．５、５、１０、または２０ＭＨｚに対して、それぞれ、１、２、４、８、または１６個のサブバンドが存在し得る。
【００３６】
[0047]  本明細書で説明された例の態様はＬＴＥ技術に関連付けられてよいが、本開示の態様はＮＲなどの他のワイヤレス通信システムに適用可能であり得る。
【００３７】
[0048]  ＮＲは、アップリンクおよびダウンリンク上でＣＰを有するＯＦＤＭを利用し、ＴＤＤを使用する半二重動作向けのサポートを含み得る。１００ＭＨｚの単一のコンポーネントキャリア帯域幅がサポートされ得る。ＮＲリソースブロックは、０．１ｍｓの持続期間を超える７５ｋＨｚのサブキャリア帯域幅を有する１２個のサブキャリアにわたり得る。各無線フレームは、１０ｍｓの長さを有する５０個のサブフレームから構成され得る。この結果、各サブフレームは、０．２ｍｓの長さを有し得る。各サブフレームは、データ送信のためのリンク方向（すなわち、ＤＬまたはＵＬ）を示し得るもので、サブフレームごとのリンク方向は動的に切り替えられ得る。各サブフレームは、ＤＬ／ＵＬデータ並びにＤＬ／ＵＬ制御データを含み得る。ＮＲ用ののＵＬおよびＤＬサブフレームは、図６および図７に関して下記でより詳細に説明される通りであり得る。ビームフォーミングがサポートされ得るもので、ビーム方向が動的に構成され得る。プリコーディングを有するＭＩＭＯ送信もサポートされ得る。ＤＬにおけるＭＩＭＯ構成は、８ストリームまでであって、ＵＥあたり最大２ストリームまでのマルチレイヤＤＬ送信を有する、８個までの送信アンテナをサポートし得る。ＵＥあたり２ストリームまでのマルチレイヤ送信がサポートされ得る。８個までのサービングセルを有する複数のセルのアグリゲーションがサポートされ得る。あるいは、ＮＲは、ＯＦＤＭベース以外の異なるエアインターフェースをサポートし得る。ＮＲネットワークは、ＣＵおよび／またはＤＵなどのエンティティを含み得る。
【００３８】
[0049]  いくつかの例では、エアインターフェースへのアクセスがスケジュールされることがあり、スケジューリングエンティティ（例えば、基地局）は、それのサービスエリアまたはセル内の一部または全てのデバイスおよび機器の間の通信用のリソースを割り振る。本開示内で、以下にさらに説明されるように、スケジューリングエンティティは、１つまたは複数の従属エンティティのためのリソースをスケジュールし、割り当て、再構成し、解放することに関与し得る。すなわち、スケジュールされた通信の場合、従属エンティティは、スケジューリングエンティティによって割り振られたリソースを利用する。基地局は、スケジューリングエンティティとして機能し得る唯一のエンティティではない。すなわち、いくつかの例では、ＵＥが、１つまたは複数の従属エンティティ（例えば、１つまたは複数の他のＵＥ）のためのリソースをスケジュールするスケジューリングエンティティとして機能し得る。この例において、ＵＥはスケジューリングエンティティとして機能しており、他のＵＥは、ワイヤレス通信のためにＵＥによってスケジュールされたリソースを利用する。ＵＥは、ピアツーピア（Ｐ２Ｐ）ネットワークおよび／またはメッシュネットワークにおいて、スケジューリングエンティティとして機能し得る。メッシュネットワークの例では、複数のＵＥが、スケジューリングエンティティとの通信に加えて、互いに、随意に(optionally)直接通信し得る。
【００３９】
[0050]  ゆえに、時間周波数リソースへのスケジュールされたアクセスを伴うもので、セルラー構成、Ｐ２Ｐ構成、およびメッシュ構成を有するワイヤレス通信ネットワークでは、スケジューリングエンティティおよび１つまたは複数の従属エンティティが、スケジュールされたリソースを利用して通信し得る。
【００４０】
[0051]  上述されたように、ＲＡＮは、１つのＣＵと複数のＤＵとを含み得る。ＮＲ ＢＳ（例えば、ｇＮＢ、５ＧノードＢ、ノードＢ、送受信ポイント（ＴＲＰ）、アクセスポイント（ＡＰ：access point））は、１つまたは複数のＢＳに対応し得る。ＮＲセルは、アクセスセル（ＡＣｅｌｌ：access cell）またはデータオンリーセル（ＤＣｅｌｌ：data only cell）として構成され得る。例えば、ＲＡＮ（例えば、集約ユニットまたは分散ユニット）は、セルを構成し得る。ＤＣｅｌｌは、キャリアアグリゲーションまたは二重接続性のために使用されるが、初期アクセス、セル選択／再選択、またはハンドオーバのためには使用されないセルであり得る。場合によって、ＤＣｅｌｌdが同期信号を送信しないことがあり――場合によってＤＣｅｌｌがＳＳを送信することがある。ＮＲ ＢＳは、セルタイプを示すダウンリンク信号をＵＥに送信し得る。セルタイプ指示に基づいて、ＵＥは、ＮＲ ＢＳと通信し得る。例えば、ＵＥは、示されたセルタイプに基づいて、セル選択、アクセス、ハンドオーバ、および／または測定を考慮するようにＮＲ  ＢＳを決定し得る。
【００４１】
[0052]  図２は、図１によって示されたワイヤレス通信システムにおいて実施され得る、分散無線アクセスネットワーク（ＲＡＮ：radio access network）２００の例示的な論理アーキテクチャを示す。５Ｇアクセスノード２０６は、アクセスノードコントローラ（ＡＮＣ）２０２を含み得る。ＡＮＣは、分散ＲＡＮ２００の集約ユニット（ＣＵ）であり得る。次世代コアネットワーク（ＮＧ−ＣＮ：next generation core network）２０４へのバックホールインターフェースはＡＮＣで終端し得る。隣接する次世代アクセスノード（ＮＧ−ＡＮ）へのバックホールインターフェースはＡＮＣで終端し得る。ＡＮＣは、（ＢＳ、ＮＲ  ＢＳ、ノードＢ、５Ｇ  ＮＢ、ＡＰ、または何らかの他の用語で呼ばれることもある）１つまたは複数のＴＲＰ２０８を含み得る。上述されたように、ＴＲＰは「セル」と同義で使用され得る。
【００４２】
[0053]  ＴＲＰ２０８はＤＵであり得る。ＴＲＰは、１つのＡＮＣ（ＡＮＣ２０２）または２つ以上のＡＮＣ（図示せず）に接続され得る。例えば、ＲＡＮ共有、サービスとしての無線（ＲａａＳ：radio as a service）、およびサービス固有ＡＮＤ展開（service specific AND deployments）の場合、ＴＲＰは２つ以上のＡＮＣに接続され得る。ＴＲＰは１つまたは複数のアンテナポートを含み得る。ＴＲＰは、ＵＥにトラフィックを個別（例えば、動的選択）または一緒（例えば、ジョイント送信）にサービスするように構成され得る。
【００４３】
[0054]  ローカルアーキテクチャ２００は、フロントホール定義を示すために使用され得る。別々の展開タイプにわたってフロントホール解決策をサポートするアーキテクチャが定義され得る。例えば、アーキテクチャは、送信ネットワーク能力（例えば、帯域幅、待ち時間、および／またはジッタ）に基づき得る。
【００４４】
[0055]  アーキテクチャは、ＬＴＥと特徴および／または構成要素を共有し得る。態様によれば、次世代ＡＮ（ＮＧ−ＡＮ：next generation AN）２１０は、ＮＲとの二重接続性をサポートし得る。ＮＧ−ＡＮは、ＬＴＥおよびＮＲ用の共通フロントホールを共有し得る。
【００４５】
[0056]  アーキテクチャは、ＴＲＰ２０８間およびＴＲＰ２０８中の協調を可能にし得る。例えば、協調は、ＡＮＣ２０２を介して１つのＴＲＰ内および／または複数のＴＲＰ間で事前設定され得る。態様によれば、ＴＲＰ間インターフェースは必要とされなくても／存在しなくてもよい。
【００４６】
[0057]  態様によれば、アーキテクチャ２００内に分割された論理機能の動的構成が存在し得る。図５を参照してより詳細に記載されるように、無線リソース制御（ＲＲＣ）レイヤ、パケットデータコンバージェンスプロトコル（ＰＤＣＰ：Packet Data Convergence Protocol）レイヤ、無線リンク制御（ＲＬＣ：Radio Link Control）レイヤ、媒体アクセス制御（ＭＡＣ：Medium Access Control）レイヤ、および物理（ＰＨＹ）レイヤが、ＤＵまたはＣＵ（例えば、それぞれＴＲＰまたはＡＮＣ）に適応して配置され得る。いくつかの態様によれば、ＢＳは、集約ユニット（ＣＵ）（例えば、ＡＮＣ２０２）および／または１つもしくは複数の分散ユニット（例えば、１つもしくは複数のＴＲＰ２０８）を含み得る。
【００４７】
[0058]  図３は、本開示の態様による、分散ＲＡＮ３００の例示的な物理アーキテクチャを示す。集中型コアネットワークユニット（Ｃ−ＣＵ：centralized core network unit）３０２は、コアネットワーク機能をホストし得る。Ｃ−ＣＵは中央に展開され得る。Ｃ−ＣＵ機能は、ピーク容量を処理することを目指して、（例えば、アドバンストワイヤレスサービス（ＡＷＳ：advanced wireless service）に）オフロードされ得る。
【００４８】
[0059]  集中型ＲＡＮユニット（Ｃ−ＲＵ：centralized RAN unit）３０４は、１つまたは複数のＡＮＣ機能をホストし得る。随意に(Optionally)、Ｃ−ＲＵはローカルにコアネットワーク機能をホストし得る。Ｃ−ＲＵは分散された展開を有し得る。Ｃ−ＲＵはネットワークエッジに近接し得る。
【００４９】
[0060]  ＤＵ３０６は、１つまたは複数のＴＲＰ（エッジノード（ＥＮ）、エッジユニット（ＥＵ）、無線ヘッド（ＲＨ）、スマート無線ヘッド（ＳＲＨ）など）をホストし得る。ＤＵは、無線周波数（ＲＦ）機能を有するネットワークのエッジに配置され得る。
【００５０】
[0061]  図４は、本開示の態様を実施するために使用され得る、図１に示されたＢＳ１１０およびＵＥ１２０の例示的な構成要素を示す。ＢＳは、ＴＲＰを含み得、マスタｅＮＢ（ＭｅＮＢ）（例えば、マスタＢＳ、プライマリＢＳ）と呼ばれ得る。これら態様によれば、マスタＢＳは、より低い周波数、例えば、６ＧＨｚ未満で動作し得、セカンダリＢＳは、より高い周波数、例えば、６ＧＨｚ以上のｍｍＷａｖｅ周波数で動作し得る。マスタＢＳおよびセカンダリＢＳは、地理的にコロケートされ得る。
【００５１】
[0062]  ＢＳ１１０およびＢＳ１２０の１つまたは複数の構成要素は、本開示の態様を実践するために使用され得る。例えば、ＵＥ１２０のアンテナ４５２、Ｔｘ／Ｒｘ４５４、プロセッサ４６６、４５８、４６４、および／もしくはコントローラ／プロセッサ、プロセッサ４８０、並びに／またはＢＳ１１０のアンテナ４３４、プロセッサ４２０、４３０、４３８、および／もしくはコントローラ／プロセッサ４４０は、本明細書で説明され、図９〜図１０を参照して示される動作を行うために使用され得る。
【００５２】
[0063]  図４は、図１のＢＳのうちの１つおよびＵＥのうちの１つであり得る、ＢＳ１１０およびＵＥ１２０の設計のブロック図を示す。制限付き関連付けシナリオの場合、基地局１１０は図１のマクロＢＳ１１０ｃであり得、ＵＥ１２０はＵＥ１２０ｙであり得る。基地局１１０はまた、何らかの他のタイプの基地局であり得る。基地局１１０はアンテナ４３４ａ〜４３４ｔを備え得るもので、ＵＥ１２０はアンテナ４５２ａ〜４５２ｒを備え得る。
【００５３】
[0064]  基地局１１０において、送信プロセッサ４２０は、データソース４１２からデータを受信し、コントローラ／プロセッサ４４０から制御情報を受信し得る。制御情報は、物理ブロードキャストチャネル（ＰＢＣＨ：Physical Broadcast Channel）、物理制御フォーマット通知チャネル（ＰＣＦＩＣＨ：Physical Control Format Indicator Channel）、物理ハイブリッドＡＲＱインジケータチャネル（ＰＨＩＣＨ：Physical Hybrid ARQ Indicator Channel）、物理ダウンリンク制御チャネル（ＰＤＣＣＨ：Physical Downlink Control Channel）のためのものであり得る。データは、物理ダウンリンク共有チャネル（ＰＤＳＣＨ）などのためのものであり得る。プロセッサ４２０は、データシンボルと制御シンボルとをそれぞれ取得するために、データと制御情報とを処理（例えば、符号化およびシンボルマッピング）し得る。プロセッサ４２０はまた、例えば、ＰＳＳ、ＳＳＳ、およびセル固有基準信号（ＣＲＳ：cell-specific reference signal）のための基準シンボルを生成し得る。送信（ＴＸ）多入力多出力（ＭＩＭＯ）プロセッサ４３０は、適用可能な場合、データシンボル、制御シンボル、および／または基準シンボルに対して空間処理（例えば、プリコーディング）を行い得、変調器（ＭＯＤ）４３２ａ〜４３２ｔに出力シンボルストリームを提供し得る。各変調器４３２は、出力サンプルストリームを取得するために、（例えば、ＯＦＤＭなどのための）それぞれの出力シンボルストリームを処理し得る。各変調器４３２は、ダウンリンク信号を取得するために、出力サンプルストリームをさらに処理（例えば、アナログへの変換、増幅、フィルタ処理、およびアップコンバート）し得る。変調器４３２ａ〜４３２ｔからのダウンリンク信号は、それぞれアンテナ４３４ａ〜４３４ｔを介して送信され得る。
【００５４】
[0065]  ＵＥ１２０において、アンテナ４５２ａ〜４５２ｒは、基地局１１０からダウンリンク信号を受信し得るもので、受信された信号をそれぞれ復調器（ＤＥＭＯＤ）４５４ａ〜４５４ｒに提供し得る。各復調器４５４は、入力サンプルを取得するために、それぞれの受信された信号を調整（例えば、フィルタ処理、増幅、ダウンコンバート、およびデジタル化）し得る。各復調器４５４は、受信シンボルを取得するために、（例えば、ＯＦＤＭなどのための）入力サンプルをさらに処理し得る。ＭＩＭＯ検出器４５６は、全ての復調器４５４ａ〜４５４ｒから受信シンボルを取得し、適用可能な場合、受信シンボルに対してＭＩＭＯ検出を行い、検出シンボルを提供し得る。受信プロセッサ４５８は、検出シンボルを処理（例えば、復調、デインターリーブ、および復号）し、ＵＥ１２０用の復号されたデータをデータシンク４６０に提供し、復号された制御情報をコントローラ／プロセッサ４８０に提供し得る。
【００５５】
[0066]  アップリンク上では、ＵＥ１２０で、送信プロセッサ４６４が、データソース４６２からの（例えば、物理アップリンク共有チャネル（ＰＵＳＣＨ：Physical Uplink Shared Channel）向けの）データと、コントローラ／プロセッサ４８０からの（例えば、物理アップリンク制御チャネル（ＰＵＣＣＨ）向けの）制御情報とを受信し処理し得る。送信プロセッサ４６４はまた、基準信号のための基準シンボルを生成し得る。送信プロセッサ４６４からのシンボルは、適用可能な場合、ＴＸ ＭＩＭＯプロセッサ４６６によってプリコーディングされ、さらに（例えば、ＳＣ−ＦＤＭなどのために）復調器４５４ａ〜４５４ｒによって処理され、基地局１１０に送信され得る。ＢＳ１１０では、ＵＥ１２０からのアップリンク信号が、ＵＥ１２０によって送られた復号されたデータおよび制御情報を取得するためにアンテナ４３４によって受信され、変調器４３２によって処理され、適用可能な場合、ＭＩＭＯ検出器４３６によって検出され、受信プロセッサ４３８によって処理され得る。受信プロセッサ４３８は、復号されたデータをデータシンク４３９に提供し、復号された制御情報をコントローラ／プロセッサ４４０に提供し得る。
【００５６】
[0067]  コントローラ／プロセッサ４４０および４８０は、それぞれ基地局１１０およびＵＥ１２０での動作を指示し得る。プロセッサ４４０および／または基地局１１０での他のプロセッサおよびモジュールは、例えば、図９に図示される機能ブロックの実行および／または本明細書で説明された技法のための他の処理を行うかまたは指示し得る。メモリ４４２および４８２は、それぞれＢＳ１１０およびＵＥ１２０のためのデータとプログラムコードとを記憶し得る。スケジューラ４４４は、ダウンリンク上および／またはアップリンク上のデータ送信のためにＵＥをスケジュールし得る。
【００５７】
[0068]  図５は、本開示の態様に従った、通信プロトコルスタックを実施するための例を示す図５００を図示する。図示された通信プロトコルスタックは、５Ｇシステム内で動作するデバイスによって実施され得る。図５００は、無線リソース制御（ＲＲＣ）レイヤ５１０と、パケットデータコンバージェンスプロトコル（ＰＤＣＰ）レイヤ５１５と、無線リンク制御（ＲＬＣ）レイヤ５２０と、媒体アクセス制御（ＭＡＣ）レイヤ５２５と、物理（ＰＨＹ）レイヤ５３０とを含む通信プロトコルスタックを示す。様々な例では、プロトコルスタックのレイヤが、ソフトウェアの別々のモジュール、プロセッサもしくはＡＳＩＣの部分、通信リンクによって接続されたコロケートされていないデバイスの部分、またはそれらの様々な組合せとして実施され得る。例えば、ネットワークアクセスデバイス（例えば、ＡＮ、ＣＵ、および／もしくはＤＵ）またはＵＥ用のプロトコルスタックにおいて、コロケートされた実施形態およびコロケートされていない実施形態が使用され得る。
【００５８】
[0069]  第１のオプション５０５−ａはプロトコルスタックの分割実施形態を示し、このプロトコルスタックの分割実施形態では、プロトコルスタックの実施が、集中型ネットワークアクセスデバイス（例えば、図２のＡＮＣ２０２）と、分散ネットワークアクセスデバイス（例えば、図２のＤＵ２０８）との間で分割(split)される。第１のオプション５０５−ａでは、ＲＲＣレイヤ５１０およびＰＤＣＰレイヤ５１５が集約ユニットによって実施され得るもので、ＲＬＣレイヤ５２０、ＭＡＣレイヤ５２５、およびＰＨＹレイヤ５３０がＤＵによって実施され得る。様々な例において、ＣＵおよびＤＵはコロケートされてもよく、コロケートされなくてもよい。第１のオプション５０５−ａは、マクロセル、マイクロセル、またはピコセルの展開において有用なことがある。
【００５９】
[0070]  第２のオプション５０５−ｂはプロトコルスタックの統合実施形態を示し、この実施形態では、プロトコルスタックが、単一のネットワークアクセスデバイス（例えば、アクセスノード（ＡＮ）、新無線基地局（ＮＲ  ＢＳ）、新無線ノードＢ（ＮＲ  ＮＢ）、ネットワークノード（ＮＮ）など）において実施される。第２のオプションでは、ＲＲＣレイヤ５１０、ＰＤＣＰレイヤ５１５、ＲＬＣレイヤ５２０、ＭＡＣレイヤ５２５、およびＰＨＹレイヤ５３０が、各々ＡＮによって実施され得る。第２のオプション５０５−ｂは、フェムトセルの展開において有用であり得る。
【００６０】
[0071]  ネットワークアクセスデバイスがプロトコルスタックの一部を実施するか、または全てを実施するかにかかわらず、ＵＥは、プロトコルスタック全体（例えば、ＲＲＣレイヤ５１０、ＰＤＣＰレイヤ５１５、ＲＬＣレイヤ５２０、ＭＡＣレイヤ５２５、およびＰＨＹレイヤ５３０）を実施し得る。
【００６１】
[0072]  図６はＤＬ中心サブフレームの一例を示す図６００である。ＤＬ中心サブフレームは制御部分６０２を含み得る。制御部分６０２は、ＤＬ中心サブフレームの初期部分または開始部分に存在し得る。制御部分６０２は、ＤＬ中心サブフレームの様々な部分に対応する様々なスケジューリング情報および／または制御情報を含み得る。いくつかの構成において、制御部分６０２は、図６に示されたように、物理ＤＬ制御チャネル（ＰＤＣＣＨ）であり得る。ＤＬ中心サブフレームはＤＬデータ部分６０４も含み得る。ＤＬデータ部分６０４は、ＤＬ中心サブフレームのペイロードと呼ばれる場合がある。ＤＬデータ部分６０４は、スケジューリングエンティティ（例えば、ＵＥまたはＢＳ）から従属エンティティ（例えば、ＵＥ）にＤＬデータを通信するために利用される通信リソースを含み得る。いくつかの構成において、ＤＬデータ部分６０４は、物理ＤＬ共有チャネル（ＰＤＳＣＨ）であり得る。
【００６２】
[0073]  ＤＬ中心サブフレームは共通ＵＬ部分６０６も含み得る。共通ＵＬ部分６０６は、ＵＬバースト、共通ＵＬバースト、および／または様々な他の適切な用語で呼ばれることがある。共通ＵＬ部分６０６は、ＤＬ中心サブフレームの様々な他の部分に対応するフィードバック情報を含み得る。例えば、共通ＵＬ部分６０６は、制御部分６０２に対応するフィードバック情報を含み得る。フィードバック情報の非限定的な例には、ＡＣＫ信号、ＮＡＣＫ信号、ＨＡＲＱインジケータ、および／または様々な他の適切なタイプの情報が含まれ得る。共通ＵＬ部分６０６は、ランダムアクセスチャネル（ＲＡＣＨ：random access channel）プロシージャに関する情報、スケジューリング要求（ＳＲ：scheduling request）、および様々な他の適切なタイプの情報などの、追加または代替の情報を含み得る。図６に示されたように、ＤＬデータ部分６０４の終端は、共通ＵＬ部分６０６の開始から時間的に分離され得る。この時間分離は、ギャップ、ガード期間、ガード間隔、および／または様々な他の適切な用語で呼ばれることがある。この分離は、ＤＬ通信（例えば、従属エンティティ（例えば、ＵＥ）による受信動作）からＵＬ通信（例えば、従属エンティティ（例えば、ＵＥ）による送信）への切替えのための時間を提供する。上記はＤＬ中心サブフレームの１つの例にすぎず、必ずしも本明細書に記載された態様から逸脱することなく、同様の特徴を有する代替の構造が存在してよいことを当業者は理解されよう。
【００６３】
[0074]   図７はＵＬ中心サブフレームの一例を示す図７００である。ＵＬ中心サブフレームは制御部分７０２を含み得る。制御部分７０２は、ＵＬ中心サブフレームの初期部分または開始部分に存在し得る。図７の制御部分７０２は、図６を参照して上述された制御部分と同様であり得る。ＵＬ中心サブフレームはＵＬデータ部分７０４も含み得る。ＵＬデータ部分７０４は、ＵＬ中心サブフレームのペイロードと呼ばれることがある。ＵＬ部分は、従属エンティティ（例えば、ＵＥ）からスケジューリングエンティティ（例えば、ＵＥまたはＢＳ）にＵＬデータを通信するために利用される通信リソースを指し得る。いくつかの構成において、制御部分７０２は、物理ＵＬ制御チャネル（ＰＵＣＣＨ）であり得る。
【００６４】
[0075]  図７に示されるように、制御部分７０２の終端は、ＵＬデータ部分７０４の開始から時間的に分離され得る。この時間分離は、ギャップ、ガード期間、ガード間隔、および／または様々な他の適切な用語で呼ばれることがある。この分離は、ＤＬ通信（例えば、スケジューリングエンティティによる受信動作）からＵＬ通信（例えば、スケジューリングエンティティによる送信）への切替えのための時間を提供する。ＵＬ中心サブフレームは共通ＵＬ部分７０６も含み得る。図７の共通ＵＬ７０６は、図７を参照して上述された共通ＵＬ７０６と同様であり得る。共通ＵＬ部分７０６は、チャネル品質インジケータ（ＣＱＩ：channel quality indicator）に関する情報、サウンディング基準信号（ＳＲＳ：sounding reference signal）、および様々な他の適切なタイプの情報を追加または代替包含し得る。上記はＵＬ中心サブフレームの１つの例にすぎず、必ずしも本明細書に記載された態様から逸脱することなく、同様の特徴を有する代替の構造が存在してよいことを当業者は理解されよう。
【００６５】
[0076]  いくつかの状況では、２つ以上の従属エンティティ（例えば、ＵＥ）が、サイドリンク信号を使用して互いに通信し得る。そのようなサイドリンク通信の実際の用途には、公共安全、近接サービス、ＵＥネットワーク間中継、車両間（Ｖ２Ｖ：vehicle-to-vehicle）通信、全てのモノのインターネット（ＩｏＥ：Internet of Everything）通信、ＩｏＴ通信、ミッションクリティカルメッシュ、および／または様々な他の適切な用途が含まれ得る。一般に、サイドリンク信号は、スケジューリングエンティティがスケジューリングおよび／または制御の目的で利用され得る場合でも、スケジューリングエンティティ（例えば、ＵＥまたはＢＳ）を介する通信を中継することなく、１つの従属エンティティ（例えば、ＵＥ１）から別の従属エンティティ（例えば、ＵＥ２）に通信される信号を指し得る。いくつかの例において、サイドリンク信号は、（通常、無認可スペクトルを使用するワイヤレスローカルエリアネットワークとは異なる）認可スペクトルを使用して通信され得る。
【００６６】
[0077]  ＵＥは、リソースの専用セット（例えば、無線リソース制御（ＲＲＣ）専用状態など）を使用してパイロットを送信することに関連付けられた構成、またはリソースの共通セット（例えば、ＲＲＣ共通状態など）を使用してパイロットを送信することに関連付けられた構成を含む、様々な無線リソース構成において動作し得る。ＲＲＣ専用状態において動作するとき、ＵＥは、ネットワークにパイロット信号を送信するためのリソースの専用セットを選択し得る。ＲＲＣ共通状態において動作するとき、ＵＥは、ネットワークにパイロット信号を送信するためのリソースの共通セットを選択し得る。いずれの場合も、ＵＥによって送信されたパイロット信号は、ＡＮもしくはＤＵなどの１つもしくは複数のネットワークアクセスデバイス、またはそれらの部分によって受信され得る。各受信ネットワークアクセスデバイスは、リソースの共通セット上で送信されたパイロット信号を受信および測定するとともに、また、ネットワークアクセスデバイスがＵＥのためのネットワークアクセスデバイスの監視セットのメンバであるＵＥに割り振られたリソースの専用セット上で送信されたパイロット信号を受信および測定するように構成され得る。受信ネットワークアクセスデバイスのうちの１つもしくは複数、または受信ネットワークアクセスデバイスがパイロット信号の測定値を送信するＣＵは、ＵＥのためのサービングセルを識別するために、またはＵＥのうちの１つもしくは複数のためのサービングセルの変更を開始するために測定値を使用し得る。
【００６７】
補助型ｍｍＷａｖｅアクセス  
[0078]  上述されるように、ミリ波（ｍｍＷａｖｅ）システムにおける送信は、ビームフォーミングされ得、指向性送信ビームおよび／または受信ビームを使用してワイヤレスデバイスが通信し得ることを意味する。通常、ＵＥによるネットワークへの初期アクセスは、時間、周波数、およびサービングＢＳのシステム情報を捕捉するために同期を行うことを含み得る。同期の後、ＵＥは、それ自体を識別するためにＢＳにランダムアクセスチャネル（ＲＡＣＨ）プリアンブル（メッセージ１）を送信し得る。ＵＥおよびＢＳは、ＲＡＣＨプロシージャ中に、ランダムアクセス応答（メッセージ２）、メッセージ３、およびメッセージ４を含む、追加のメッセージを交換することによって、初期アクセス処理を完了し得る。本開示の態様によれば、ＵＥは、有利なことに、ＲＡＣＨプリアンブルを送信する前に、ＢＳへの同期を行わない可能性がある。
【００６８】
[0079]  ｍｍＷａｖｅシステムにおける同期およびＲＡＣＨは、ビームフォーミングされた信号の送信および受信を含み得る。よって、同期およびランダムアクセスは、指向性同期（ＳＹＮＣ）および指向性ＲＡＣＨと呼ばれ得る。低い周波数のワイヤレス通信システムにおける同期およびランダムアクセスは、ＳＹＮＣおよびＲＡＣＨと呼ばれ得る。
【００６９】
[0080]  本明細書で使用されるとき、ｍｍＷａｖｅという用語は、一般に、２８ＧＨｚなどの比較的高い周波数におけるスペクトル帯域を指す。このような周波数は、マルチＧｂｐｓデータレートを搬送することが可能な非常に大きい帯域幅、並びに、キャパシティを増加させるための高密度空間の再利用（extremely dense spatial reuse）のための機会を提供し得る。しかしながら、従来、これら高い周波数は、高い伝搬ロスおよび（例えば、建物、人などによる）障害物に対する脆弱性のために、屋内／屋外のモバイルブロードバンドアプリケーションに対して十分ロバストではない。
【００７０】
[0081]  これら課題があるにもかかわらず、ｍｍＷａｖｅが動作するより高い周波数では、短波長（small wavelengths）が、比較的小さいフォームファクタ（form factor）での多数のアンテナエレメントの使用を可能にする。ｍｍＷａｖｅの特性は、より多くのエネルギーを送りかつ受信できる狭い指向性のビームを形成するために利用され得、それは、伝搬／パスロスの課題を克服する助けとなり得る。
【００７１】
[0082]  これら狭い指向性のビームはまた、空間の再利用のためにも利用できる。これは、モバイルブロードバンドサービスに関してｍｍＷａｖｅを利用するための重要なイネーブラ（enablers）のうちの１つである。加えて、ＮＬＯＳ（non-line-of-site）パス（例えば、近隣の建物からの反射）は、非常に大きなエネルギーを有しており、ＬＯＳ（line-of-site）パスがブロックされたとき、代替のパスを提供し得る。本開示の態様は、例えば、ＵＥがｍｍＷａｖｅ基地局（および、例えばセカンダリｅＮＢ／ＳｅＮＢ）との初期アクセスを行うとき、このような指向性のビームを活用し得る。
【００７２】
ビーム微細化のための例示的な技法  
[0083]  上述されるように、いくつかのシステムでは、階層的ビーム構造が基地局で使用され得る。このような構造の一般的な概念は、比較的広いビームで開始し、利得を増加させるためにより狭いビームを選択するようビーム微細化を行うことである。ブロードビーム（broad beams）が、例えば、制御チャネルについてのロバスト性を達成するために継続的に使用できる一方で、より狭いビームが、高速データ送信のために使用される。
【００７３】
[0084]  本明細書で提示される技法は、（図９を参照して以下に説明されるような）既存のフレーム構造を使用し、そうでなければアイドル状態であり得るリソース（受信アンテナポート）を利用してビーム微細化を可能にし得る。
【００７４】
[0085]  図８は、異なるロケーションにあるデバイスに到達するように異なるタイプの信号を送信することに使用される異なるタイプのビームを図示する。例えば、同期信号は、同期（Ｓｙｎｃ）ビーム（これはそれらの集合的形状のせいでカクタスビーム（cactus beams）と呼ばれ得る）を使用して、異なる方向に送信され得る。比較的広いビーム（時には測定基準信号ブロードビームまたはＭＲＳブロードビームと呼ばれる）は、例えば制御情報を含むいくつかの送信に使用され得る。比較的狭い（またはニードル）ビームは、例えば、高速データを提供するためにいくつかの送信に使用され得る。
【００７５】
[0086]  図８に示される階層的ビームを使用する、初期捕捉の比較的高レベルの説明が以下で説明される。ＵＥは、Ｓｙｎｃブロックスキャンを使用してシステムを捕捉し得、送信および受信ビームの最良の組み合わせ{gNB_Sync_Beam, UE_Broad_beam}を見つけ得る。ＵＥは次いで、レシプロカルな（reciprocal）UE_Broad_beamを使用して、ランダムアクセスチャネル（ＲＡＣＨ）プリアンブルを送り得る。ＲＡＣプリアンブルのために使用されるUE_Broad_beamは、Ｓｙｎｃブロックスキャン中に見つかった最良の送信ビームに基づいて選択された比較的広いビームであり得る。
【００７６】
[0087]  ｇＮＢは、１つまたは複数のＭＲＳの広い（受信）ビーム上でＲＡＣＨプリアンブルを検出し得、この検出に基づいて、（ダウンリンク送信のための）最良のgNB_MRS_Broad_Beamを識別し得る。ｇＮＢは、gNB_Sync_Beam上で、またはオプションで、gNB_MRS_Broad_Beam上でランダムアクセスチャネル応答を送り得る。ＵＥは、この時点でどのビームをｇＮＢが使用したかを通常は知らないため、ＲＡＲを受信するためにUE_Broad_beamを使用し得る。一旦接続モードになると（例えば、ＭＲＳが構成されたとき）、ＵＥは、最良のＭＲＳビーム（gNB_MRS_Broad_Beam）を見つけるためにビームスキャンを行い、それを見つけたことをｇＮＢに報告し得る。この時点で、ＵＥおよびｇＮＢは、少なくともブロードビームに関して、同期している（in sync）と考察され得る。
【００７７】
[0088]  上述されるように、ｇＮＢは通常、ロバスト性のためにＰＤＣＣＨに関して比較的広いビーム（gNB_MRS_Broad_Beam）を使用する。ＣＳＩ−ＲＳが構成される前に、ＰＤＳＣＨは、gNB_MRS_Broad_Beam上でも送られ得る。その後、ｇＮＢは、比較的狭いビーム（gNB_MRS_Narrow_Beam）でＣＳＩ−ＲＳを構成して送り得る。場合によって、ｇＮＢは、ＵＥがビーム微細化においてｇＮＢを支援することを可能にし得るＣＳＩ−ＲＳを送信するときに、異なるナロービーム（narrow beams）を周期的に繰り返し（cycle through）得る。言い換えると、ＵＥは、（異なるビームを使用して送られる）ＣＳＩ−ＲＳのビームスキャンを行い得、好ましいビームをｇＮＢに報告し得る。ｇＮＢおよびＵＥは、サービングgNB_MRS_Narrow_Beamがどのようなものであるべきかに関して、同期していると考察され得る。
【００７８】
[0089]  代替的に、ｇＮＢは、サウンディング基準信号（ＳＲＳ）を送るようＵＥに指示し得る。この場合、ｇＮＢは、ＳＲＳのビームスキャンを行い、サービングgNB_MRS_Narrow_Beamがどのようなものであるべきかを理解し得る。
【００７９】
[0090]  図９は、上述された異なるタイプのビームを使用して送られ得る異なるタイプのチャネルを示す例示的な自己充足型フレーム構造を図示する。例示的な自己充足型フレーム構造では、ＵＥが、受信した対応するＰＤＳＣＨについての確認応答または否定確認応答（ＡＣＫ／ＮＡＣＫ）を用いてＰＵＣＣＨを送り得る。上述されるように、ＰＤＳＣＨは比較的狭いビームで送られ得る一方で、ＰＤＣＣＨは比較的幅広いビームを使用して送られ得る。復調基準信号（ＤＭＲＳ：demodulation reference signal）シンボル（またはハーフシンボル）は、ＰＵＣＣＨの前に送られ得る。複数のＵＥは、同じＤＭＲＳおよびＰＵＣＣＨシンボル中で周波数分割多重化され（ＦＤＭされ）得る。
【００８０】
[0091]  本開示の態様は、ＤＭＲＳ／ＰＵＣＣＨ送信に基づいて、基地局（ｇＮＢ）が（狭い）ビーム微細化を行うことを可能にし得る技術を提供する。例えば、ＵＥがUE_Broad_Beamを使用するＤＭＲＳ／ＰＵＣＣＨ送信でＰＤＳＣＨに応答するとき、ｇＮＢは、最良のナロービーム（例えば、gNB_MRS_Narrow_Beam）を見つけるために、ＭＲＳナロー受信ビームのセットを使用する送信を検出し得る。
【００８１】
[0092]  図１０は、本開示のいくつかの態様に従った、ビーム微細化を行うために基地局によって行われ得る例示的な動作１０００を図示する。
【００８２】
[0093]  動作１０００は、１００２で、複数のアップリンク受信ビームを用い、アップリンク受信ビームの各々よりも広いアップリンク送信ビームを使用してユーザ機器（ＵＥ）によって送られた物理アップリンク制御チャネル（ＰＵＣＣＨ）を検出することによって始まる。１００４で、基地局は、この検出に基づいて、ＵＥへの少なくとも１つの後続の物理ダウンリンク共有チャネル（ＰＤＳＣＨ）送信のために、ダウンリンク送信ビームを選択する。以下でより詳細に説明されるように、動作１０００は、場合によって、ＲＩ／ＰＭＩを推定することなどの他の動作を含み得る。
【００８３】
[0094]  図１１は、本開示のいくつかの態様に従って、ＢＳがビーム微細化を行うのを助けるためにユーザ機器（ＵＥ）によって行われ得る例示的な動作１１００を図示する。
【００８４】
[0095]  動作１１００は、１１０２で、物理ダウンリンク共有チャネル（ＰＤＳＣＨ）を送信するために基地局によって使用されるダウンリンク送信ビームよりも広いアップリンク送信ビームを使用して基地局に物理アップリンク制御チャネル（ＰＵＣＣＨ）を送信することによって始まる。１１０４で、ＵＥは、ＰＵＣＣＨの検出に基づいて選択されたダウンリンク送信ビームを使用して基地局によって送信されたＰＤＳＣＨを受信する。
【００８５】
[0096]  １１０６で、ＵＥは、ＰＤＳＣＨを送信するための選択されたダウンリンク送信ビームへの変更を指示するシグナリングを受信し得る。１１０８で、ＵＥは、変更に基づいて、ＰＤＳＣＨで送信されたチャネル状態情報基準信号（ＣＳＩ−ＲＳ）を処理し得る。
【００８６】
[0097]  図１２は、上述されたビーム微細化プロシージャを視覚的に図示する。図示されるように、ＵＥは、それぞれのブロードビーム（例えば、UE_Broad_Beam）でＤＭＲＳ／ＰＵＣＣＨで（比較的狭いビームを使用して送られた）ＰＤＳＣＨ送信に応答し得る。基地局（ｇＮＢ）は、gNB_MRS_Broad_Beamで擬似コロケート（ＱＣＬ：quasi co-located）された比較的狭い（例えば、ＭＲＳナロービーム）のセットを使用して（ＲＳスキャニング）ＤＭＲＳ／ＰＵＣＣＨ送信を検出し、最適なナロービーム（例えば、最良のgNB_MRS_Narrow_Beam）を見つけ得る。ビームは、それらが比較的類似したチャネル特性を有すると合理的に（reasonably）予期され得る場合に、擬似コロケート（ＱＣＬ）されたと考察され得る。
【００８７】
[0098]  図１２を再度参照すると、ｇＮＢは、後続のＰＤＳＣＨ送信のために、選択されたナロービーム（gNB_MRS_Narrow_Beam）を使用し得る。ｇＮＢは、例えば、後続のビーム微細化が行われるまで、選択されたMRS_Narrow_Beamを使用してＰＤＳＣＨを送信する。
【００８８】
[0099]  このビーム微細化が正確にどのくらいの頻度で行われるかは、変化し得る。潜在的に、ビーム微細化は、例えば、ビームコヒーレンスまたはモビリティシナリオなどの要素に従って、送信時間間隔（ＴＴＩ）毎に行われ得る。場合によって、ビーム微細化がいつ（どのくらいの頻度で）行われるかは、gNB_MRS_Narrow_Beamを使用して送られたＣＳＩ−ＲＳが前に測定されてからの（どのくらい前に送られたかの）時間期間に依存し得る。
【００８９】
[0100]  場合によっては、ｇＮＢが、いくつかの状況でブロードビームに戻り得る。例えば、ｇＮＢは、チャネル状況が要求したとき（例えば、ビームコヒーレンスが失われたとき、またはｇＮＢがエラーを引き起こすＰＵＣＣＨ上の消去（erasure）を検出したとき）、ＰＤＳＣＨのためにgNB_MRS_Broad_Beamへフォールバックする（falls back）ことができる。
【００９０】
[0101]  UE_Broad_Beamが通常はgNB_MRS_Narrow_Beamよりもかなり広いため、gNB_MRS_Narrow_Beamはより頻繁に微細化されることを必要とし得る。gNB_MRS_Narrow_Beamが微細化されているので、UE_Broad_Beamは変更されることを必要としなくてよい。
【００９１】
[0102]  本明細書で提示される技法は、ｇＮＢが複数のアンテナポートを有するという事実を活かし得る。ｇＮＢは、（例えば、そのシンボルにおいて何人かのユーザにサービスするためにこれらポートを使用する代わりに）ＰＵＣＣＨシンボル中のビーム微細化のための複数のポートのうちの１つのサブセット専用であり（dedicate）得る。ＰＵＣＣＨでサービスされるＵＥの数が少ない場合も、これは制限されすぎているとは見なされない。例示されるように、ｇＮＢは、１つのＵＥにサービスするための２つのポートを有し得、ＰＤＳＣＨについての２×２ＭＩＭＯを行うために使用される。ＰＵＣＣＨに関して、ｇＮＢは、ＰＵＣＣＨを受信するために一方のポートを使用し、ビーム微細化のために他方のポートを使用し得る。
【００９２】
[0103]  さらに、場合によっては、ｇＮＢが、同時のＰＵＣＣＨ送信のために（例えば、同じワイドビーム（wide beam）が複数のＵＥへの送信／複数のＵＥからの受信のために使用されるといった）同じワイドビームに属する複数のＵＥを（例えば、図４を参照して上述されるＢＳ／ｇＮＢ１１０のスケジュール４４４を介して）スケジューリングし得る。よって、同時のＰＵＣＣＨ送信は、ＰＵＣＣＨシンボル中で並行して複数のＵＥのためのビーム微細化をｇＮＢが効率的に行うことを可能にし得る。
【００９３】
[0104]  ＤＭＲＳおよびＰＵＣＣＨは、広帯域信号であることが好ましくあり得る。ミリ波（ｍｍＷ）システムでは、ＦＤＭされ得るいくつかのＵＥが通常の比較的小さい所与の性質のナロービームであるため、アップリンク制御ブロックキャパシティは帯域幅によって制限されない。言い換えると、広帯域ＰＵＣＣＨ ＡＣＫ信号を可能にするのに十分な帯域幅が存在し得る。
【００９４】
[0105]  場合によっては、ｇＮＢが、gNB_MRS_Broad_BeamおよびgNB_MRS_Narrow_Beam(またはナロービームのセット）の両方を使用して、ＣＳＩ−ＲＳ送信を構成し得る。場合によって、ｇＮＢは、微細化のためにＣＳＩ−ＲＳを送信するときに、ビームのセットを周期的に繰り返し得る。
【００９５】
[0106]  場合によっては、ＰＵＣＣＨ／ＤＭＲＳ検出の受信ビームスキャニングに依存して、ｇＮＢが、ＣＳＩ−ＲＳを送信するために使用されるナロービームを変更し得る。例えば、この検出に基づいて、ｇＮＢは、ＣＳＩ−ＲＳを送信するときにビーム５−２−３−４を周期的に繰り返すことから、ビーム１−２−３−４を周期的に繰り返すことへと変更し得る。このような場合、ｇＮＢがそのＴＸビームを切り替えたとき、それが、この切り替えをＵＥに通知し得る。この切り替えをＵＥに通知することは、ＵＥがそれのＣＳＩ−ＲＳ処理をリセットすることを可能にし得、それは、ｇＮＢ ＴＸビームを与えられたランクインジケータ（ＲＩ：Rank Indicator）および／またはプリコーディングマトリックスインジケータ（ＰＭＩ：Pre-coding Matrix Indicator）を推定するために使用される。言い換えると、ビーム微細化は、ｇＮＢ ＲＸスイーピング（gNB RX sweeping）に基づき得る一方で、ＲＩ／ＰＭＩは、ＣＳＩ−ＲＳおよびチャネル状態フィードバック上のＵＥ測定に未だ基づき得る。
【００９６】
[0107]  代替的にまたは追加的に、ＵＥがＰＤＳＣＨ受信において使用されるべきものと同じポートでＤＭＲＳ／ＰＵＣＣＨを送る場合、ｇＮＢは、ＭＩＭＯチャネルを測定し、ＣＳＩ−ＲＳを推定しかつチャネル状態を報告するＵＥに依存することなく、スペクトル効率を最大化することに基づいてＲＩ／ＰＭＩを推定し得る。推定されたＲＩ／ＰＭＩは、後続の送信に適用され得る。
【００９７】
[0108]  ｇＮＢは、複数のビームのうちのいずれが使用されるかを（例えば、ＰＤＣＣＨ中で）搬送し得、進行中にそれの最良のＲＸビームをＵＥに選定させ得る。これにかかわらず、ＵＥはそのブロードビーム上でそのＰＵＣＣＨを依然として送信し得、ｇＮＢは、それをロバスト性のためにそのブロードビーム上で常に受信する。
【００９８】
[0109]  本明細書に開示されている方法は、説明された方法を達成するための１つまたは複数のステップまたはアクションを備える。この方法のステップおよび／またはアクションは、特許請求の範囲から逸脱することなく、互いに入れ替えられ得る。言い換えれば、ステップまたはアクションの特定の順序が指定されていない限り、特定のステップおよび／またはアクションの順序および／または使用は、特許請求の範囲から逸脱することなく修正され得る。
【００９９】
[0110]  本明細書で使用される、項目のリスト「〜のうちの少なくとも１つ」を指す句は、単一のメンバを含む、それら項目の任意の組み合わせを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、並びに同じ要素を用いた任意の組み合わせ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含することを意図する。
【０１００】
[0111]  本明細書で使用される場合、「決定すること」という用語は、幅広いアクションを包含する。例えば、「決定すること」は、計算すること、算出すること、処理すること、導出すること、調査すること、探索すること（例えば、テーブル、データベース、または別のデータ構造内で探索すること）、確認することなどを含み得る。また、「決定すること」は、受け取ること（例えば、情報を受け取ること）、アクセスすること（例えば、メモリ内のデータにアクセスすること）などを含み得る。また、「決定すること」は、解決すること、選択すること、選ぶこと、確立することなどを含み得る。
【０１０１】
[0112]  以上の説明は、当業者が本明細書に説明され様々な態様を実践することを可能にするために提供される。これら態様に対する様々な変更は当業者には容易に明らかであり、本明細書で定義した一般的原理は他の態様に適用され得る。従って、特許請求の範囲は、本明細書に示された態様に限定されるものでなく、特許請求の範囲の文言に矛盾しない全適用範囲を与えられるべきであり、単数形の要素への言及は、そのように明記されていない限り、「唯一無二」を意味するものでなく、「１つまたは複数の」を意味するものである。別段に明記されていない限り、「いくつかの」という用語は「１つまたは複数の」を指す。当業者に知られている、または後に知られることになる、本開示全体にわたって説明した様々な態様の要素の全ての構造的および機能的均等物は、参照により本明細書に明確に組み込まれ、特許請求の範囲に包含されるものである。さらに、本明細書で開示されたものは、そうした開示が特許請求の範囲に明記されているかどうかにかかわらず、公に供するものではない。特許請求の範囲の要素は、その要素が「ための手段」という句を使用して明記されていない限り、または方法クレームの場合、その要素が「ためのステップ」という句を使用して記載されていない限り、米国特許法第１１２条第６段落の規定の下で解釈されるべきではない。
【０１０２】
[0113]  上述された方法の様々な動作は、対応する機能を行うことが可能な任意の適切な手段によって行われ得る。それらの手段は、限定はしないが、回路、特定用途向け集積回路（ＡＳＩＣ）、またはプロセッサを含む、様々なハードウェアおよび／またはソフトウェアの構成要素および／またはモジュールを含み得る。一般に、図に示された動作が存在する場合、それらの動作は、同様の番号を有する対応する同等のミーンズプラスファンクション構成要素を有し得る。
【０１０３】
[0114]  本開示に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス（ＰＬＤ）、個別ゲートもしくはトランジスタ論理、個別ハードウェア構成要素、または本明細書に記載された機能を行うように設計されたそれらの任意の組合せで実施または行われ得る。汎用プロセッサはマイクロプロセッサであってよいが、代替として、プロセッサは、任意の市販のプロセッサ、コントローラ、マイクロコントローラ、または状態マシンであり得る。プロセッサはまた、コンピューティングデバイスの組合せ、例えば、ＤＳＰとマイクロプロセッサの組合せ、複数のマイクロプロセッサ、ＤＳＰコアと連携する１つもしくは複数のマイクロプロセッサ、または任意の他のそのような構成として実施され得る。
【０１０４】
[0115]  ハードウェアで実施される場合、例示的なハードウェア構成は、ワイヤレスノード内の処理システムを備え得る。処理システムは、バスアーキテクチャで実施され得る。バスは、処理システムの特定の用途および全体的な設計制約に依存して、任意の数の相互接続するバスおよびブリッジを含み得る。バスは、プロセッサと、機械可読媒体と、バスインターフェースとを含む様々な回路を互いにリンクし得る。バスインターフェースは、ネットワークアダプタを、とりわけ、バスを介して処理システムに接続するために使用され得る。ネットワークアダプタは、ＰＨＹレイヤの信号処理機能を実施するために使用され得る。ユーザ端末１２０（図１参照）の場合、ユーザインターフェース（例えば、キーパッド、ディスプレイ、マウス、ジョイスティックなど）もバスに接続され得る。バスはまた、タイミングソース、周辺機器、電圧調整器、電力管理回路などの様々な他の回路をリンクできるが、それらは当技術分野でよく知られており、従ってこれ以上記載されない。プロセッサは、１つまたは複数の汎用プロセッサおよび／または専用プロセッサで実施され得る。例には、マイクロプロセッサ、マイクロコントローラ、ＤＳＰプロセッサ、およびソフトウェアを実行できる他の回路が含まれる。当業者は、特定の用途およびシステム全体に課される全体的な設計制約に依存して、処理システムのための記載された機能をどのように最も良く実施するかを認識されよう。
【０１０５】
[0116]  ソフトウェアで実施される場合、機能は、１つまたは複数の命令またはコードとしてコンピュータ可読媒体上に記憶されるか、またはコンピュータ可読媒体を介して送信され得る。ソフトウェアは、ソフトウェア、ファームウェア、ミドルウェア、マイクロコード、ハードウェア記述言語などの名称にかかわらず、命令、データ、またはそれらの任意の組合せを意味するように広く解釈されるべきである。コンピュータ可読媒体は、ある場所から別の場所へのコンピュータプログラムの転送を容易にする任意の媒体を含む、コンピュータ記憶媒体と通信媒体の両方を含む。プロセッサは、バス、および機械可読記憶媒体に記憶されたソフトウェアモジュールの実行を含む一般的な処理を管理することを担当し得る。コンピュータ可読記憶媒体は、プロセッサがこの記憶媒体から情報を読み取ることができ、この記憶媒体に情報を書き込むことができるように、プロセッサに結合され得る。代替として、記憶媒体はプロセッサと一体であり得る。例として、機械可読媒体は、全てがバスインターフェースを介してプロセッサによってアクセスされ得る、伝送線路、データによって変調された搬送波、および／またはワイヤレスノードとは別個のその上に記憶された命令を有するコンピュータ可読記憶媒体を含み得る。代替または追加として、機械可読媒体またはその任意の部分は、キャッシュおよび／または汎用レジスタファイルがそうであり得るように、プロセッサに統合され得る。機械可読記憶媒体の例には、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（登録商標）（電気的消去可能プログラマブル読取り専用メモリ）、レジスタ、磁気ディスク、光ディスク、ハードドライブ、もしくは任意の他の適切な記憶媒体、またはそれらの任意の組合せが含まれ得る。機械可読媒体はコンピュータプログラム製品内で具現化され得る。
【０１０６】
[0117]  ソフトウェアモジュールは、単一の命令、または多くの命令を備え得るもので、いくつかの異なるコードセグメント上で、異なるプログラム間で、および複数の記憶媒体にわたって分散され得る。コンピュータ可読媒体はいくつかのソフトウェアモジュールを備え得る。ソフトウェアモジュールは、プロセッサなどの装置によって実行されると、様々な機能を処理システムに行わせる命令を含む。ソフトウェアモジュールは、送信モジュールと受信モジュールとを含み得る。各ソフトウェアモジュールは、単一のストレージデバイス内に常駐するか、または複数のストレージデバイスにわたって分散され得る。例として、トリガリングイベントが発生したとき、ソフトウェアモジュールはハードドライブからＲＡＭにロードされ得る。ソフトウェアモジュールの実行中に、プロセッサは、アクセス速度を高めるために、命令のうちのいくつかをキャッシュにロードし得る。次いで、１つまたは複数のキャッシュラインが、プロセッサによる実行のために汎用レジスタファイルにロードされ得る。以下でソフトウェアモジュールの機能に言及するとき、このような機能は、そのソフトウェアモジュールからの命令を実行するときにプロセッサによって実施されることが理解されよう。
【０１０７】
[0118]  また、任意の接続がコンピュータ可読媒体と適切に呼ばれる。例えば、ソフトウェアが、同軸ケーブル、光ファイバケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は、通常、データを磁気的に再生し、ディスク（disc）は、データをレーザーで光学的に再生する。従って、いくつかの態様では、コンピュータ可読媒体が、非一時的コンピュータ可読媒体（例えば、有形媒体）を備え得る。さらに、他の態様では、コンピュータ可読媒体が、一時的コンピュータ可読媒体（例えば、信号）を備え得る。上記の組合せもコンピュータ可読媒体の範囲内に含まれるべきである。
【０１０８】
[0119]  従って、いくつかの態様は、本明細書で提示された動作を行うためのコンピュータプログラム製品を備え得る。例えば、このようなコンピュータプログラム製品は、本明細書に記載された動作を行うために１つまたは複数のプロセッサによって実行可能な命令を記憶した（および／または符号化した）コンピュータ可読媒体を備え得る。例えば、本明細書に記載され、図９に示された動作を行うための命令。
【０１０９】
[0120]  さらに、本明細書で説明された方法および技法を行うためのモジュールおよび／または他の適切な手段は、適用可能な場合、ユーザ端末および／または基地局によってダウンロードされ、および／またはさもなければ取得されることができることを諒解されたい。例えば、そのようなデバイスは、本明細書で説明された方法を行うための手段の転送を容易にするために、サーバに結合されることができる。代替として、本明細書で説明された様々な方法は、記憶手段（例えば、ＲＡＭ、ＲＯＭ、コンパクトディスク（ＣＤ）またはフロッピーディスクなどの物理記憶媒体）を介して提供されることができ、この記憶手段をデバイスに結合するかまたは提供することに伴って、ユーザ端末および／または基地局が様々な方法を取得できるようになる。さらに、本明細書で説明された方法および技法をデバイスに提供するための任意の他の適切な技法が利用されることができる。
【０１１０】
[0121]  特許請求の範囲は、上記に示された厳密な構成および構成要素に限定されないことを理解されたい。特許請求の範囲から逸脱することなく、上述された方法および装置の構成、動作、および詳細において、様々な修正、変更、および変形が行われ得る。
【図１】
2020519117.tif 000003
【図２】
2020519117.tif 000004
【図３】
2020519117.tif 000005
【図４】
2020519117.tif 000006
【図５】
2020519117.tif 000007
【図６】
2020519117.tif 000008
【図７】
2020519117.tif 000009
【図８】
2020519117.tif 000010
【図９】
2020519117.tif 000011
【図１０】
2020519117.tif 000012
【図１１】
2020519117.tif 000013
【図１２】
2020519117.tif 000014
【国際調査報告】
2020519117.tif 000015
2020519117.tif 000016
2020519117.tif 000017
2020519117.tif 000018
2020519117.tif 000019
2020519117.tif 000020